(57)【要約】【課題】便器へ供給する補給水の水量の調節が容易であり、コンパクトな洗浄水タンク装置を提供する。【解決手段】本発明の洗浄水タンク装置３においては、大洗浄水量を便器洗浄用のフロート１８により制御して、小洗浄水量を小穴２４ｃが形成され筒体１６に設けられた円盤２４により制御すると共に、便器へ供給する補給水の水量を補給水用フロート２９で制御したため、全体としてコンパクトにすることができる。また、補給水の水量のみを調節することができる補給水用フロート２９を設けたため、補給水の水量の調節を容易とすることができる。【選択図】図４
2013204268.tif 000002
【特許請求の範囲】
【請求項１】
便器を洗浄する洗浄水を貯える洗浄水タンク装置であって、
洗浄水タンク装置の底面に配置された排水口を開閉する弁体と、この弁体から上方へと延設され内部が空洞で形成されている筒体と、小穴が形成されると共に上記筒体の下端部の開口を開閉するように摺動可能に上記筒体に設けられて上記小穴から上記筒体の内部に流入した洗浄水が所定量になると上記弁体が下降するように小洗浄水量を制御する円盤と、上記筒体に係合可能に取り付けられて上記洗浄水タンク装置内の水位の低下により上記筒体との係合が解除されると上記弁体が下降するように大洗浄水量を制御する便器洗浄用フロートと、を備える排水弁装置と、
上記洗浄水タンク装置内に洗浄水を給水する給水装置と、上記給水装置から分岐しその下流側端部に形成された吐水口が上記筒体の上端部の開口に差し向けられて上記吐水口から上記筒体に補給水を供給する補給水流路部と、上記補給水流路部の途中に設けられて補給水の供給を給止水する開閉弁と、この開閉弁と連動可能に取り付けられて上記洗浄水タンク装置内の水位が所定水位の場合に上記開閉弁を開状態として補給水を供給する補給水用フロートと、を備える補給水供給装置と、を有することを特徴とする洗浄水タンク装置。
【請求項２】
上記排水弁装置は、上記洗浄水タンク装置の排水口の周縁より上方へと延びる側周壁と、上記洗浄水タンク装置内の初期状態における水位よりも上方に設けられ上記側壁の上端を覆う蓋部材と、を備え、上記蓋部材に上記補給水流路部及び上記吐水口が形成され、上記開閉弁が上記補給水流路部の流路を開閉するよう揺動可能に上記蓋部材に取り付けられている請求項１記載の洗浄水タンク装置。
【請求項３】
平面視で、上記補給水用フロートと上記便器洗浄用フロートとは上記筒体を中心として対向するように上記側周壁内に配置され、上記開閉弁は、上記補給水用フロートとは反対の上記便器洗浄用フロート側の上記蓋部材に設けられ、上記開閉弁と上記補給水用フロートとが揺動部材で連結されている請求項２記載の洗浄水タンク装置。
【請求項４】
上記開閉弁は、上記蓋部材に支軸部を中心に回転し上記補給水流路部の流路を開閉するように設けられ、上記揺動部材の一端は上記支軸部と、上記揺動部材の他端は上記補給水用フロートと連動可能に連結している請求項３記載の洗浄水タンク装置。
【発明の詳細な説明】
【技術分野】
【０００１】
本発明は、洗浄水タンク装置に係り、特に、便器に洗浄水を供給する排水弁装置及び便器に補給水を供給する補給水供給装置を備えた洗浄水タンク装置に関する。
【背景技術】
【０００２】
従来から、便器を洗浄する洗浄水を貯える洗浄水タンクの排水弁装置として、例えば、特許文献１に記載されているように、洗浄水タンク底面の排水口を開閉する弁体と、この弁体から上方へと延設されたオーバーフロー管と、このオーバーフロー管の下端に設けられ小穴が形成された円盤を備え、この円盤で小洗浄時の便器に供給される洗浄水量を制御している排水弁装置が知られている。
また、例えば、特許文献２に記載されているように、便器洗浄後に排出された便器ボウル部内の溜水を補給するための補給水を便器へと供給する流路と、その流路を開閉する開閉弁と、この開閉弁の開閉動作を制御するフロートを備える排水弁装置が知られている。この排水装置のフロートは、洗浄水タンク中に設けられた開閉弁を切り替え、小洗浄時の便器に供給される洗浄水量を規定する機能も兼ね備えている。
【先行技術文献】
【特許文献】
【０００３】
【特許文献１】欧州特許第０８０１１７９号明細書
【特許文献２】米国特許第２０１０／００４３１３１号明細書
【発明の概要】
【発明が解決しようとする課題】
【０００４】
このような特許文献１に記載されている従来の排水弁装置においては、サイホン作用により汚物等を排出するサイホン式便器において、便器洗浄後に排出された便器ボウル部内の溜水を補給できる構成となっておらず補給水を便器に供給することができないようになっている。
また、特許文献２に記載されている従来の排水弁装置においては、補給水を便器へ供給することができる構成となっているものの、補給水の水量は、小洗浄の洗浄水量を規定するフロートで規定されているために、フロートを上下に動かし調節すると、補給水の水量だけではなく小洗浄の洗浄水量も変わってしまい、補給水の水量の調節が困難であるといった問題がある。
一方、それを解決するために、小洗浄の洗浄水量を規定するフロートとは別に補給水の水量を規定するフロートを別途設けることも考えられるが、そうすると、排水弁装置全体が大型化してしまい、洗浄水タンク内に配置することが困難であるといった問題がある。
【０００５】
そこで、本発明は、上述した従来技術の問題点を解決するためになされたものであり、便器へ供給する補給水の水量の調節が容易であり、コンパクトな洗浄水タンク装置を提供することを目的としている。
【課題を解決するための手段】
【０００６】
上記の目的を達成するために、本発明は、便器を洗浄する洗浄水を貯える洗浄水タンク装置であって、洗浄水タンク装置の底面に配置された排水口を開閉する弁体と、この弁体から上方へと延設され内部が空洞で形成されている筒体と、小穴が形成されると共に筒体の下端部の開口を開閉するように摺動可能に筒体に設けられて小穴から筒体の内部に流入した洗浄水が所定量になると弁体が下降するように小洗浄水量を制御する円盤と、筒体に係合可能に取り付けられて洗浄水タンク装置内の水位の低下により筒体との係合が解除されると弁体が下降するように大洗浄水量を制御する便器洗浄用フロートと、を備える排水弁装置と、洗浄水タンク装置内に洗浄水を給水する給水装置と、給水装置から分岐しその下流側端部に形成された吐水口が筒体の上端部の開口に差し向けられて吐水口から筒体に補給水を供給する補給水流路部と、補給水流路部の途中に設けられて補給水の供給を給止水する開閉弁と、この開閉弁と連動可能に取り付けられて洗浄水タンク装置内の水位が所定水位の場合に開閉弁を開状態として補給水を供給する補給水用フロートと、を備える補給水供給装置と、を有することを特徴としている。
このように構成された本発明においては、大洗浄水量を便器洗浄用のフロートにより制御して、小洗浄水量を小穴が形成され筒体に設けられた円盤により制御すると共に、便器へ供給する補給水の水量を補給水用フロートで制御したため、全体としてコンパクトにすることができる。また、補給水の水量のみを調節することができる補給水用フロートを設けたため、補給水の水量の調節を容易とすることができる。
【０００７】
本発明において、好ましくは、排水弁装置は、洗浄水タンク装置の排水口の周縁より上方へと延びる側周壁と、洗浄水タンク装置内の初期状態における水位よりも上方に設けられ側壁の上端を覆う蓋部材と、を備え、蓋部材に補給水流路部及び吐水口が形成され、開閉弁が補給水流路部の流路を開閉するよう揺動可能に蓋部材に取り付けられている。
このように構成された本発明においては、蓋部材に補給水流路部及び吐水口を形成し、開閉弁を設けたため、別部材を設ける必要がなく、より全体としてコンパクトにすることができる。また、補給水流路部の流路を開閉する開閉弁が洗浄水タンク装置内の水位より上方に設けられている為に、開閉弁の揺動部分に水垢やスケール等が付着して動作不良となることを防止することができ、補給水の供給を給止水する開閉弁の動作をより確実に行うことができて、補給水の水量の調節を容易とすることができる。
【０００８】
本発明において、好ましくは、平面視で、補給水用フロートと便器洗浄用フロートとは筒体を中心として対向するように配置され、開閉弁は、補給水用フロートとは反対の便器洗浄用フロート側の蓋部材に設けられ、開閉弁と補給水用フロートとが揺動部材で連結されている。
このように構成された本発明においては、平面視で、筒体を中心として補給水用フロート対向する位置に開閉弁が設けられ、それらが揺動部材で連結されているため、補給水の供給を給止水する開閉弁の動作をより確実に行うことができて、補給水の水量の調節をより容易とすることができる。
【０００９】
つぎに、本発明は、開閉弁は、蓋部材に支軸部を中心に回転し補給水流路部の流路を開閉するように設けられ、揺動部材の一端は支軸部と、揺動部材の他端は補給水用フロートと連動可能に連結している。
このように構成された本発明においては、開閉弁が支軸部を中心に回転し流路を開閉するものであるため、補給水の供給を給止水する開閉弁の動作をより確実に行うことができて、補給水の水量の調節をより容易とすることができる。
【発明の効果】
【００１０】
本発明の洗浄水タンク装置によれば、便器へ供給する補給水の水量の調節が容易であり、コンパクトな洗浄水タンク装置を提供することができる。
【図面の簡単な説明】
【００１１】
【図１】本発明の一実施形態による洗浄水タンク装置の内部構造を前方斜め上方から見た斜視図である。
【図２】本発明の一実施形態による排水弁装置、補給水供給装置の内部構造を前方斜め上方から見た斜視図である。
【図３】本発明の一実施形態による補給水供給装置の（ａ）斜視図、（ｂ）正面図である。
【図４】本発明の一実施形態による排水弁装置、補給水供給装置の断面図であり、本発明の一実施形態による排水弁装置、補給水供給装置の小洗浄モード及び大洗浄モードにおける排水開始前の状態を示す。
【図５】本発明の一実施形態による排水弁装置、補給水供給装置の断面図であり、本発明の一実施形態による排水弁装置、補給水供給装置の小洗浄モードにおける開弁時の状態を示す。
【図６】本発明の一実施形態による排水弁装置、補給水供給装置の断面図であり、本発明の一実施形態による排水弁装置、補給水供給装置の小洗浄モードにおける排水途中の状態を示す。
【図７】本発明の一実施形態による排水弁装置、補給水供給装置の断面図であり、本発明の一実施形態による排水弁装置、補給水供給装置の小洗浄モードにおける排水終了時の状態を示す。
【図８】本発明の一実施形態による排水弁装置、補給水供給装置の断面図であり、本発明の一実施形態による排水弁装置、補給水供給装置の大洗浄モードにおける開弁時の状態を示す。
【図９】本発明の一実施形態による排水弁装置、補給水供給装置の断面図であり、本発明の一実施形態による排水弁装置、補給水供給装置の大洗浄モードにおける排水途中の状態を示す。
【図１０】本発明の一実施形態による排水弁装置、補給水供給装置の断面図であり、本発明の一実施形態による排水弁装置、補給水供給装置の大洗浄モードにおける排水終了時の状態を示す。
【発明を実施するための形態】
【００１２】
つぎに、添付図面により、本発明の一実施形態による排水弁装置１、補給水供給装置２、この排水弁装置１、補給水供給装置２を備えた洗浄水タンク装置３について説明する。
まず、洗浄水タンク装置の内部構造について説明する。
図１は、本発明の一実施形態による洗浄水タンク装置３の内部構造を前方斜め上方から見た斜視図である
【００１３】
図１に示すように、洗浄水タンク装置３は、水洗大便器（図示せず）を洗浄する洗浄水を貯水する貯水タンク４を備え、この貯水タンク４の底部４ａには、便器本体の導水路（図示せず）と連通する排水口４ｂが形成され、貯水タンク内の洗浄水が便器本体の導水路（図示せず）へと供給されるようになっている。また、貯水タンク４は、便器の種類に応じて、貯水する洗浄水の量が異なっている。
【００１４】
水洗大便器（図示せず）は、サイホン作用を利用してボウル部内の汚物を吸い込んで排水トラップ管路から一気に外部に排出する、いわゆる、サイホン式の水洗大便器であり、この水洗大便器は、陶器製の便器本体を備え、この便器本体には、ボウル部と、このボウル部の下部と連通するトラップ管路がそれぞれ形成されている。
便器本体のボウル部の上縁部には、内側にオーバーハングしたリムと、便器本体の後方側の内部に形成される導水路から供給される洗浄水を吐水する第１吐水口が形成され、この第１吐水口から吐水された洗浄水は、旋回しながら下降してボウル部を洗浄するようになっている。
【００１５】
図１、２に示すように、洗浄水タンク装置３の貯水タンク４内には、この貯水タンク４内に洗浄水を供給する給水装置５と、この給水装置５から分岐する補給水流路部６から補給水を便器本体の導水路（図示せず）に流出させる補給水供給装置２と、貯水タンク４に貯えられた洗浄水について排水口４ｂを開放して便器本体の導水路（図示せず）に流出させる排水弁装置１（詳細は後述する）と、が設けられている。
【００１６】
給水装置５は、外部の給水源（図示せず）に接続され貯水タンク４の底部４ａから上方に延びる給水管５ａと、この給水管５ａの上端部に取り付けられ、給水管から給水される洗浄水の貯水タンク内への吐水と止水を切り替える給水バルブ５ｂと、貯水タンク内の水位の変動に応じて上下動して給水バルブによる吐水と止水を切り替えるフロート５ｃとを備えている。
【００１７】
給水管５ａの外周側下端部には、吐水口５ｄが開口し、給水バルブ５ｂからの洗浄水がこの吐水口５ｄから貯水タンク４内に吐水されるようになっている。
給水装置５は、更に、給水バルブ５ｂに接続されたリフィール管６を備え、このリフィール管６の下流端部は、後述する補給水供給装置２に接続され、オーバーフロー管１６（筒体）の上端開口の上方近傍に位置するように、リフィール管６の一部が排水弁装置１の上端に補給水供給装置２と共に固定されている。
【００１８】
給水装置５においては、後述する排水弁装置１により、貯水タンク４内の洗浄水が便器に排水されると、洗浄水の水位が低下してフロート５ｃが下降し、それにより給水バルブ５ｂが開き、吐水口５ｄからの吐水が開始し、洗浄水タンク装置３の外部の給水源（図示せず）から貯水タンク４内への吐水が開始されるようになっている。
さらに、吐水が継続されて貯水タンク４内の水位が上昇すると、フロート５ｃが上昇し、それにより給水バルブ５ｂが閉じ、吐水口５ｄからの吐水が止水される。これにより、貯水タンク４内の洗浄水の水位が満水時の所定水位に維持されるようになっている。
【００１９】
つぎに、図２、図３を参照して、本発明の一実施形態による排水弁装置１、補給水供給装置２の詳細について説明する。
図２は本発明の一実施形態による排水弁装置１、補給水供給装置２の内部構造を前方斜め上方から見た斜視図である。図３は本発明の一実施形態による補給水供給装置２の（ａ）斜視図、（ｂ）正面図である。
【００２０】
排水弁装置１は、図１、図２に示すように、貯水タンク４の底面４ａに取り付けられ且つ便器本体の導水路（図示せず）に連通する排水口を形成する排水口ユニット７と、この排水口ユニット７の上端に取り付けられた排水弁ユニット８を備えている。
【００２１】
排水弁装置の排水口ユニット７は、貯水タンク４の底面４ａの所定位置に取り付けられて排水口を形成する排水口形成部材５０を備えている。
この排水口形成部材５０の下端部は、貯水タンク４の底面４ａを貫き、シール部材９を介して締結部材１０によって締結され、排水口形成部材５０が貯水タンク４の底面４ａに固定されている。
【００２２】
さらに、排水口形成部材５０は、排水口４ｂの上縁に沿って全周に亘って形成される弁座１１を備え、この弁座１１と排水弁ユニット８の弁体１２が当接することにより、排水口４ｂが閉鎖されるようになっている。
また、排水口形成部材５０は、弁座１１から外側に向かって所定間隔を置いた位置から排水口形成部材５０の上端部まで上下方向に延びる複数の支柱部１３を備え、これらの支柱部１３は、周方向に沿って所定間隔を置いて配置されており、隣り合う支柱部１３同士の間に排水弁装置１の外側の洗浄水を排水口４ｂへ流入させるための複数の連通口１４を形成している。
【００２３】
つぎに、図２に示すように、排水弁装置１の排水弁ユニット８は、弁体１２と、この弁体１２を保持する弁体保持部材１５と、この弁体保持部材１５に下端部が取り付けられて上下方向に延びる樹脂製のオーバーフロー管１６（筒体）と、排水口ユニット７の排水口形成部材５０の上端部に取り付けられてオーバーフロー管１６及び弁体１２の動きを制御するガイド部材１７と、大洗浄モードにおける閉弁動作を開始させる樹脂製の便器洗浄用フロート部材１８と、樹脂製のカム部材１９と、これらの部材を支持する樹脂製の支持部材２０と、これらの部材を外側から取り囲む側周壁２１と、オーバーフロー管１６の上端部に取り付けられてオーバーフロー管１６の引き上げ操作による弁体１２の開弁操作を操作する操作ワイヤ２２と、側周壁２１を上方から保持すると共に操作ワイヤ２２の上下動をガイドする蓋部材２３と、を備えている。
【００２４】
弁体１２は、シートパッキン等のシール部材１２ａからなり、図２に示すように、オーバーフロー管１６の下端部に取り付けられた弁体保持部材１５の上側保持部１５ａと下側保持部１５ｂとの間に嵌め込まれて固着されている。
また、オーバーフロー管１６は、ガイド部材１７のほぼ中央部に形成されたガイド穴１７ａに挿入されて軸方向（上下方向）に摺動可能に取り付けられ、弁体１２は、このオーバーフロー管１６と共に上下動し、排水口４ｂを開閉する排水弁として機能するようになっている。また、貯水タンク４内の洗浄水が満水水位を超えたときは、オーバーフロー管１６の排水流路を介して便器本体にオーバーフローされる。
【００２５】
オーバーフロー管１６の下端部１６ｄには、小洗浄モードにおける閉弁動作を開始させる樹脂製の円盤２４が取り付けられている。円盤２４は、下方に凹形状で形成される円盤本体部２４ａと、円盤本体部２４ａより上方に延設され、オーバーフロー管１６の内壁１６ａより水平方向に突出した固定部１６ｂと軸方向（上下方向）に摺動可能に係合する軸部２４ｂとから構成されている。円盤２４は、オーバーフロー管１６の下端部１６ｄの開口１６ｅを開閉するように、オーバーフロー管１６の固定部１６ｂに対して円盤２４の軸部２４ｂが摺動するようになっている。
また、円盤本体部２４ａには上下方向に連通する比較的小さな小穴２４ｃが形成されている。この小穴２４ｃの径の大きさにより、オーバーフロー管１６内に流入する洗浄水の量が変り、小洗浄モードにおける閉弁のタイミングが規定される。
本実施形態では、一例として、円盤２４を円形状で形成したものとしているが、四角形状でもよく、その形状自体はどのような形状でもよい。
【００２６】
つぎに、図１、図２に示すように、操作ワイヤ２２は、蓋部材２３のガイド孔２３ａを通過した一端部がオーバーフロー管１６の上端部１６ｆに取り付けられ、他端部が貯水タンクの内部に取り付けられたワイヤ巻取り装置２５に取り付けられている。このワイヤ巻取り装置２５は、貯水タンク４の外部に取り付けられた操作レバー２６と連結されており、この操作レバー２６を大洗浄又は小洗浄の所定の洗浄モードを実行させる方向に回動操作することにより、この操作レバー２６の回動と連動してワイヤ巻取り装置２５が作動し、操作ワイヤ２２がワイヤ巻取り装置２５によって巻き取られ、この巻き取られる操作ワイヤ２２により、排水弁ユニット８のオーバーフロー管１６が引き上げられ、このオーバーフロー管１６と共に弁体保持部材１５及び弁体１２が上昇するようになっている。
【００２７】
例えば、操作レバー２６を所定の方向（小洗浄モードを実行する方向）に回動操作すると、ワイヤ巻取り装置２５が作動し、操作ワイヤ２２が大洗浄モードの場合の最大巻き取り量よりも少ない巻き取り量で巻き取られ、排水弁ユニット８のオーバーフロー管１６及び弁体保持部材１５がそれぞれの最高高さ位置よりも低い所定の高さ位置まで引き上げられるようになっている。このとき、弁座１１に対する弁体１２の上昇高さ（ストローク）ＨがＨ１となり、洗浄水タンク装置３の排水弁装置１による便器本体への小洗浄モードの排水が開始されるようになっている（図５参照）。
一方、操作レバー２６を所定の方向とは反対方向（大洗浄モードを実行する方向）に回動操作すると、ワイヤ巻取り装置２５が作動し、操作ワイヤ２２が所定の最大量の巻き取り量で巻き取られ、排水弁ユニット８のオーバーフロー管１６及び弁体保持部材１５がそれぞれの最高高さ位置まで引き上げられるようになっている。このとき、弁座１１に対する弁体１２の上昇高さ（ストローク）Ｈが最大高さ（最大ストローク）Ｈ２となり（Ｈ２＞Ｈ１）、洗浄水タンク装置３の排水弁装置１による便器本体への大洗浄モードの排水が開始されるようになっている（図８参照）。
【００２８】
なお、本実施形態では、一例として、操作レバー２６については、使用者が操作レバー２６を直接回転操作してワイヤ巻取り装置２５を作動させる手動式の操作形態について説明するが、このような形態に限定されず、操作レバー２６を回動させるためのモータ等の駆動手段を設け、外部に設定された操作ボタン（図示せず）又は人感センサー（図示せず）からの指令信号によって駆動手段の作動を自動的に制御するような操作形態にしてもよい。
【００２９】
つぎに、図２に示すように、支持部材２０の軸方向の中間部分には、便器洗浄用フロート部材１８が取り付けられており、支持部材２０への便器洗浄用フロート部材１８の取付位置が軸方向（上下方向）に変更可能となっている。
【００３０】
カム部材１９は、支持部材２０のヒンジ結合部２０ａに回動可能に取り付けられるヒンジ部１９ａと、オーバーフロー管の上端部から下方の所定位置に外方に突出するように形成された係合突起１６ｇと係合可能な係合凹部１９ｂを備えている。
【００３１】
また、図４に示すように、排水弁装置１の小洗浄モード及び大洗浄モードにおける排水開始前の状態では、弁体１２が弁座１１に当接して排水口４ｂが閉止され、貯水タンク４内の水位が満水時の止水水位ＷＬとなり、側周壁２１の外側に貯水されている貯水タンク４内の洗浄水がスリット穴２１ａを経て側周壁２１の内部に流入し、便器洗浄用フロート部材１８が水没している状態となっている。
また、カム部材１９の係合凹部１９ｂはオーバーフロー管１６の係合突起１６ｇよりも上方に位置し、両者が係合していない状態となっている。
【００３２】
つぎに、本発明の一実施形態による補給水供給装置２の詳細について説明する。
図１、図２に示すように、リフィール管６は、給水バルブ５から給水バルブ５ｂの吐水口５ｄへの流路と分岐されて排水弁装置１の蓋部材２３の流入口２３ｂに着脱自在に取り付けられる。また、蓋部材２３の内部には、流入口２３ｂから連続して水平方向に補給水流路２３ｄが形成されており、補給水流路２３ｄは、オーバーフロー管１６のほぼ真上に位置より鉛直下方向へと延び、オーバーフロー管１６の上端部１６ｆの開口に向けて吐水口２３ｃが形成されている。
【００３３】
蓋部材２３の内部の補給水流路２３ｄは、補給水の吐水口２３ｃへの流路と分岐して、貯水タンク４内の排水弁装置１に向けて開口したタンク側吐水口２３ｅと接続する流路が形成されている。そして、給水バルブ５ｂから供給された補給水の流れる流路を切り替える開閉弁２７が蓋部材２３に設けられている。開閉弁２７は，ひし形形状で形成され、支軸部２７ａを中心に回転し、補給水の吐水口２３ｃへの流路とタンク側吐水口２３ｅへの流路を開閉弁２７の側面２７ｂで開閉することにより、便器本体への補給水の供給を給止水している。
【００３４】
さらに、蓋部材２３には揺動部材２８が、端部に位置する支軸部２７ａを中心に揺動可能に取り付けられ、この揺動部材２８は支軸部２７ａを介して開閉弁２７と連動可能に連結している。揺動部材２８の開閉弁２７と連結している一端２８ａとは逆の他端２８ｂは、補給水の給止水を制御する樹脂製の補給水用フロート部材２９が軸方向の中間部分に取り付けられている支持部材３０の上端部と連結している。
【００３５】
開閉弁２７の支軸部２７ａと揺動部材２８とが連結している部分から補給水用フロート部材２９の鉛直方向の中心線とまでの最短距離（支軸部Ｐから力点Ｑまでの距離）Ｌ１と、開閉弁２７の支軸部２７ａと揺動部材２８とが連結している部分から補給水流路２３ｄの中心線Ａ１までの最短距離（支点Ｐから作用点Ｒまでの距離）Ｌ２との比（以下「てこ比Ｌ１／Ｌ２」）は、所定値以上（例えば、２以上）に設定されており、３〜５に設定するのが好ましい。
貯水タンク４内の水位による補給水用フロート部材２９を上昇させる浮力が比較的小さく、補給水用フロート部材２９（力点）に作用する上昇力が比較的小さくても、揺動部材２８が支軸部２７ａを中心に容易に揺動して開閉弁２７を迅速に閉弁させることができるようになっている。
【００３６】
支持部材３０の補給水用フロート部材２９の取付部分は螺旋状の螺子部３０ａとなっており、補給水用フロート部材２９にはその螺子部３０ａと係合する結合部が形成されている。さらに、支持部材３０の上端には、操作部３０ｂが形成されており、この操作部３０ｂを施工者等が水平方向において回転させることにより、補給水用フロート部材２９の取付位置を支持部材３０への軸方向（上下方向）に変更することが出来るようになっている。
【００３７】
図５〜７により、本発明の一実施形態による排水弁装置１を備えた洗浄水タンク装置３により実行される小洗浄モードについて説明する。
図５に示すように、排水弁装置１の小洗浄モードにおける開弁時の状態では、弁体１２が弁座１１に対してストロークＨ１で上昇して排水口４ｂが開放されており、側周壁２１の外側に貯水されている貯水タンク４内の洗浄水と側周壁２１の内部の洗浄水が、側周壁２１のスリット穴２１ａ及び排水口形成部材５０の連通口１４によって連通しているため、貯水タンク４内の水位と側周壁２１の内部の水位が共に満水時の止水水位ＷＬよりも低い水位ＷＬ１となり、便器洗浄用フロート部材１８は水没しているが、補給水用フロート部材２９は水位ＷＬ１よりも上方に表出している状態となっている。
貯水タンク４内の水位と側周壁２１のＷＬ１の水位が、図４に示す水位ＷＬよりも低い水位まで低下するため、この水位の低下に連動して補給水用フロート部材２９が下降する。これに伴い、支持部材３０が低下して揺動部材２８が支軸部２７ａを中心に回転するが、開閉弁２７は図４に示す状態と同じく補給水流路２３ｄを開状態としている。補給水の吐水口２３ｃからオーバーフロー管１６を経て便器本体への補給水の供給が行われている。
便器洗浄用フロート部材１８の係合凹部１９ｂは、オーバーフロー管１６の係合突起１６ｇよりも上方に位置しており、両者が係合していない状態となっている。
【００３８】
つぎに、図６に示すように、排水弁装置１の小洗浄モードにおける排水途中の状態では、排水口４ｂから便器本体への排水に伴って、貯水タンク４内の水位と側周壁２１のＷＬ２の水位が、図５に示す水位ＷＬ１よりも低い水位まで低下するため、この水位の低下に連動して補給水用フロート部材２９は下降する。これに伴い、支持部材３０がさらに低下して揺動部材２８が支軸部２７ａを中心にさらに回転する。これにより、開閉弁２７は補給水流路２３ｄを閉状態とし、補給水の吐水口２３ｃからオーバーフロー管１６を経て便器本体への補給水の供給は停止する。
【００３９】
また、オーバーフロー管１６の下端部１６ｄに設けられた樹脂製の円盤２４は、円盤２４の下方の凹形状で形成された円盤本体部２４ａの下面に上向きの水圧が掛り、その水圧により、オーバーフロー管１６の固定部１６ｂに対して円盤２４の軸部２４ｂは上方へと摺動し、円盤２４はオーバーフロー管１６の下端部１６ｄの開口１６ｅを塞ぐこととなる。それと同時に、円盤本体部２４ａには上下方向に連通する比較的小さな小穴２４ｃが形成されているため、オーバーフロー管１６内に洗浄水が流入する。図６に示すように、オーバーフロー管１６内に流入した洗浄水が少ない内は、オーバーフロー管１６は浮力により、弁体１２が弁座１１から離れている開状態を維持している。しかしながら、時間が経過して、円盤本体部２４ａの小穴２４ｃからオーバーフロー管１６に流入する洗浄水の量が増えると、オーバーフロー管１６の浮力より、オーバーフロー管１６内に貯まった洗浄水の重さが増し、徐々に、弁体１２は下降して排水口４ｂを閉じる閉状態となる。
【００４０】
なお、便器洗浄用フロート部材１８の係合凹部１９ｂは、オーバーフロー管１６の係合突起１６ｇよりも上方に位置しており、両者が係合していない状態となっているため、オーバーフロー管及び弁体の下降による閉弁動作が妨げられないようになっている。
【００４１】
つぎに、図７においてオーバーフロー管１６及び弁体１２が水位の低下と共にさらに下降すると、図７に示すように、弁体１２が弁座１１に当接し、排水口４ｂが閉止され、排水弁装置１の小洗浄モードにおける排水が終了するようになっている。また、排水終了時の状態では、貯水タンク４内の水位と側周壁２１の内部の水位が、図６に示す水位ＷＬ２よりも低い水位ＤＷＬまで低下し、死水水位となるようになっている。
【００４２】
排水後、給水バルブ５ｂの吐水口５ｄから貯水タンク４内へ洗浄水が供給されているために、洗浄水タンク４内の水位が、時間と共に上昇し、図６に示す水位ＷＬ２に到達すると、補給水用フロート部材２９及び支持部材３０は上降する。これに伴い、揺動部材２８が支軸部２７ａを中心に回転する。これにより、開閉弁２７は補給水流路２３ｄを開状態とし、補給水の吐水口２３ｃからオーバーフロー管１６を経て便器本体への補給水の供給を開始する。
【００４３】
さらに、貯水タンク４内の水位が上昇すると、図５に示す水位ＷＬ１に到達するが、これに伴い、補給水用フロート部材２９及び支持部材３０が上昇して揺動部材２８が支軸部２７ａを中心に回転する。しかしながら、開閉弁２７は未だに補給水流路２３ｄを開状態としており、補給水の吐水口２３ｃからオーバーフロー管１６を経て便器本体への補給水の供給が行われている。その後、貯水タンク４内の水位が、図４に示す水位ＷＬに到達すると、給水バルブ５ｂの吐水口５ｄからの洗浄水の供給は停止し、それと同時に補給水の吐水口２３ｃからの補給水の供給も停止して初期状態へと戻る。補給水として便器本体に供給される洗浄水の量は、貯水タンク４内の水位がＷＬ２からＷＬに到達までの時間に、補給水の吐水口２３ｃから供給される量であり、この量は大洗浄モードにおける補給水の供給量と同じである。
【００４４】
つぎに、図８〜１０により、本発明の一実施形態による排水弁装置１を備えた洗浄水タンク装置３により実行される大洗浄モードについて説明する。
図８に示すように、排水弁装置１の大洗浄モードにおける開弁時の状態では、弁体１２が弁座１１に対して最大ストロークＨ２で上昇して排水口４ｂが開放されており、貯水タンク４内の水位が満水時の止水水位ＷＬよりも低い水位ＷＬ１となり、側周壁２１の外側に貯水されている貯水タンク４内の洗浄水と側周壁２１の内部の洗浄水が、側周壁２１のスリット穴２１ａ及び排水口形成部材５０の連通口１４によって連通しているため、便器洗浄用フロート部材１８は水没しているが、補給水用フロート部材２９は水位ＷＬ１よりも上方に表出している状態となっている。
貯水タンク４内の水位と側周壁２１のＷＬ１の水位が、図４に示す水位ＷＬよりも低い水位まで低下するため、この水位の低下に連動して補給水用フロート部材２９が下降する。これに伴い、支持部材３０が低下して揺動部材２８が支軸部２７ａを中心に回転するが、開閉弁２７は図４に示す状態と同じく補給水流路２３ｃを開状態としている。
また、弁体１２と共にオーバーフロー管１６とその係合突起１６ｇについても最大ストロークＨ２で上昇しているため、便器洗浄用フロート部材１８の係合凹部１９ｂは、オーバーフロー管１６の係合突起１９ｂと係合している状態となっており、オーバーフロー管１６及び弁体１２の下降動作（閉弁動作）が拘束された状態となっている。
【００４５】
つぎに、図９に示すように、排水弁装置１の大洗浄モードにおける排水途中の状態では、排水口４ｂから便器本体への排水に伴って、貯水タンク４内における側周壁２１の外部の水位が、図８に示す水位ＷＬ１よりも低い水位ＷＬ２まで低下する。この水位の低下に連動して補給水用フロート部材２９は下降する。これに伴い、支持部材３０がさらに低下して揺動部材２８が支軸部２７ａを中心にさらに回転する。これにより、開閉弁２７は補給水流路２３ｄを閉状態とし、補給水の吐水口２３ｃからオーバーフロー管１６を経て便器本体への補給水の供給は停止する。
【００４６】
また、オーバーフロー管１６の下端部１６ｄに設けられた樹脂製の円盤２４は、円盤２４の下方の凹形状で形成された円盤本体部２４ａの下面に上向きの水圧が掛り、その水圧により、オーバーフロー管１６の固定部１６ｂに対して円盤２４の軸部２４ｂは上方へと摺動し、円盤２４はオーバーフロー管１６の下端部１６ｄの開口１６ｃを塞ぐこととなる。それと同時に、円盤本体部２４ａには上下方向に連通する比較的小さな小穴２４ｃが形成されているため、オーバーフロー管１６内に洗浄水が流入する。しかしながら、便器洗浄用フロート部材１８の係合凹部１９ｂは、オーバーフロー管１６の係合突起１６ｇと係合している状態となっており、オーバーフロー管１６及び弁体１２は、便器洗浄用フロート部材１８の浮力により、弁体１２が弁座１１から離れている開状態を維持している。
【００４７】
さらに、貯水タンク４内における側周壁２１の外部の水位が低下して、便器洗浄用フロート部材１８が水位よりも上方に表出している状態となると、便器洗浄用フロート部材１８は水位の低下と共に下降する。所定の水位となると、便器洗浄用フロート部材１８が、オーバーフロー管１６の係合突起１６ｇとの係合を解除する方向（図９及び図１０の下方）に回動し、便器洗浄用フロート部材１８の係合凹部１９ｂとオーバーフロー管１６の係合突起１６ｇとの係合が解除され、オーバーフロー管１６及び弁体１２の下降動作（閉弁動作）が開始されるようになっている。
【００４８】
つぎに、図１０に示すように、排水弁装置１の大洗浄モードにおける排水終了時の状態では、貯水タンク４内における側周壁２１の外部の水位は、水位ＷL２よりも低く且つ図７に示す小洗浄モード時の死水水位よりも低い水位ＤＷＬまで低下し、この水位ＤＷＬが死水水位となり、弁体１２が弁座１１に当接し、排水口４ｂが閉止されるようになっている。
【００４９】
排水後、給水バルブ５ｂの吐水口５ｄから貯水タンク４内へ洗浄水が供給されているために、貯水タンク４内の水位が、時間と共に上昇し、図９に示す水位ＷＬ２に到達すると、補給水用フロート部材２９及び支持部材３０は上降する。これに伴い、揺動部材２８が支軸部２７ａを中心に回転する。これにより、開閉弁２７は補給水流路２３ｄを開状態とし、補給水の吐水口からオーバーフロー管１６を経て便器本体への補給水の供給を開始する。
【００５０】
さらに、貯水タンク４内の水位が上昇すると、図８に示す水位ＷＬ１に到達するが、これに伴い、補給水用フロート部材２９及び支持部材３０が上昇して揺動部材２８が支軸部２７ａを中心に回転する。しかしながら、開閉弁２７は未だに補給水流路２３ｄを開状態としており、補給水の吐水口２３ｃからオーバーフロー管１６を経て便器本体への補給水の供給が行われている。その後、貯水タンク２９内の水位が、図４に示す水位ＷＬに到達すると、給水バルブ５ｂの吐水口５ｄからの洗浄水の供給は停止し、それと同時に補給水の吐水口２３ｃからの補給水の供給も停止して初期状態へと戻る。補給水として便器本体に供給される洗浄水の量は、貯水タンク４内の水位がＷＬ２からＷＬに到達までに時間に、補給水の吐水口２３ｃから供給される量であり、この量は小洗浄モードにおける補給水の供給量と同じである。
【００５１】
上述した実施形態の洗浄水タンク装置３において、洗浄水タンク装置３の底面４ａに配置された排水口４ｂを開閉する弁体１２と、この弁体１２から上方へと延設され内部が空洞で形成されている筒体１６と、小穴２４ｃが形成されると共に筒体１６の下端部１６ｄの開口１６ｅを開閉するように摺動可能に筒体１６に設けられて小穴２４ｃから筒体１６の内部に流入した洗浄水が所定量になると弁体１２が下降するように小洗浄水量を制御する円盤２４と、筒体１６に係合可能に取り付けられて洗浄水タンク装置３内の水位の低下により筒体１６との係合が解除されると弁体１２が下降するように大洗浄水量を制御する便器洗浄用フロート１８と、を備える排水弁装置１と、洗浄水タンク装置３内に洗浄水を給水する給水装置５と、給水装置５から分岐しその下流側端部に形成された吐水口２３ｃが筒体１６の上端部１６ｆの開口に差し向けられて吐水口２３ｃから筒体１６に補給水を供給する補給水流路部２３ｄと、補給水流路部２３ｄの途中に設けられて補給水の供給を給止水する開閉弁２７と、この開閉弁２７と連動可能に取り付けられて洗浄水タンク装置３内の水位が所定水位の場合に開閉弁２７を開状態として補給水を供給する補給水用フロート２９と、を備える補給水供給装置２と、を有することを特徴としている。
【００５２】
上述した実施形態の洗浄水タンク装置３においては、大洗浄水量を便器洗浄用のフロート１８により制御して、小洗浄水量を小穴２４ｃが形成され筒体１６に設けられた円盤２４により制御すると共に、便器へ供給する補給水の水量を補給水用フロート２９で制御したため、全体としてコンパクトにすることができる。また、補給水の水量のみを調節することができる補給水用フロート２９を設けたため、補給水の水量の調節を容易とすることができる。
【００５３】
上述した実施形態の洗浄水タンク装置３において、好ましくは、排水弁装置１は、洗浄水タンク装置３の排水口４ｂの周縁より上方へと延びる側周壁２１と、洗浄水タンク装置３内の初期状態における水位よりも上方に設けられ側壁の上端を覆う蓋部材２３と、を備え、蓋部材２３に補給水流路部２３ｄ及び吐水口２３ｃが形成され、開閉弁２７が補給水流路部２３ｄの流路を開閉するよう揺動可能に蓋部材２３に取り付けられている。
このように構成された本発明においては、蓋部材２３に補給水流路部２３ｄ及び吐水口２３ｃを形成し、開閉弁２７を設けたため、別部材を設ける必要がなく、より全体としてコンパクトにすることができる。また、補給水流路部２３ｄの流路を開閉する開閉弁２７が洗浄水タンク装置３内の水位より上方に設けられている為に、開閉弁２７の揺動部分に水垢やスケール等が付着して動作不良となることを防止することができ、補給水の供給を給止水する開閉弁２７の動作をより確実に行うことができて、補給水の水量の調節を容易とすることができる。
【００５４】
上述した実施形態の洗浄水タンク装置３において、好ましくは、平面視で、補給水用フロート３０と便器洗浄用フロート１８とは筒体１６を中心として対向するように配置され、開閉弁２７は、補給水用フロート２９とは反対の便器洗浄用フロート１８側の蓋部材２３に設けられ、開閉弁２７と補給水用フロート２９とが揺動部材２８で連結されている。
このように構成された本発明においては、平面視で、筒体１６を中心として補給水用フロート２９と対向する位置に開閉弁２７が設けられ、それらが揺動部材２８で連結されているため、補給水の供給を給止水する開閉弁２７の動作をより確実に行うことができて、補給水の水量の調節をより容易とすることができる。
【００５５】
つぎに、上述した実施形態の洗浄水タンク装置３において、開閉弁２７は、蓋部材２３に支軸部２７ａを中心に回転し補給水流路部２３ｃの流路を開閉するように設けられ、揺動部材２８の一端は支軸部２７ａと、揺動部材２８の他端は補給水用フロート２９と連動可能に連結している。
このように構成された本発明においては、開閉弁２７が支軸部２７ａを中心に回転し流路を開閉するものであるため、補給水の供給を給止水する開閉弁２７の動作をより確実に行うことができて、補給水の水量の調節をより容易とすることができる。
【符号の説明】
【００５６】
１      排水弁装置
２      補給水供給装置
３      洗浄水タンク装置
４      貯水タンク
４ｂ    排水口
５      給水装置
６      リフィール管
１１    弁座
１２    弁体
１６    オーバーフロー管（筒体）
１６ｇ  係合突起
１８    便器洗浄用フロート部材
１９    カム部材
１９ｂ  係合凹部
２３    蓋部材
２３ａ  ガイド部材
２３ｂ  流入口
２３ｃ  補給水側の吐水口
２３ｄ  補給水流路
２３ｅ  タンク側の吐水口
２７    開閉弁
２７ａ  支軸部
２８    揺動部材
２９    補給水用フロート部材
【図１】
2013204268.tif 000003
【図２】
2013204268.tif 000004
【図３】
2013204268.tif 000005
【図４】
2013204268.tif 000006
【図５】
2013204268.tif 000007
【図６】
2013204268.tif 000008
【図７】
2013204268.tif 000009
【図８】
2013204268.tif 000010
【図９】
2013204268.tif 000011
【図１０】
2013204268.tif 000012